(57)【要約】【課題】本発明はネックレス貯蔵装置を開示した。【解決手段】ネックレスケースを含み、前記ネックレスケースの中には展示チャンバが設置され、前記展示チャンバの中には収納機構が設置され、前記収納機構は伝動ブロックと、弾性ブロックと、弧状ブロックとを含み、前記弾性ブロックは前記弧状ブロックの阻止のもとで片方向にだけ回転でき、前記収納機構の上側には伝動機構が設置され、前記伝動機構はラチェットギヤと、弾力ブロックと、推力ブロックとを含み、前記ラチェットギヤと前記弾力ブロックとの間が片方向にだけ伝動でき、前記伝動機構の上側には起動装置が設置され、本発明は操作が便利であり、複数のネックレスを安全に本装置の中に収納でき、且つ取ることも置くこともとても便利であり、快速に取る又は定位収納する要求に応じて相応な変化をすることができ、適応性が高く、しかもネックレスを展示できる。【選択図】図１
2020175153.tif 000002
【特許請求の範囲】
【請求項１】
正面視で、ネックレスケースを含み、前記ネックレスケースの中には展示チャンバが設置され、前記展示チャンバの中には収納機構が設置され、前記収納機構は伝動ブロックと、弾性ブロックと、弧状ブロックとを含み、前記弾性ブロックは前記弧状ブロックの阻止のもとで片方向にだけ回転でき、前記収納機構の上側には伝動機構が設置され、前記伝動機構はラチェットギヤと、弾力ブロックと、推力ブロックとを含み、前記ラチェットギヤと前記弾力ブロックとの間が片方向にだけ伝動でき、前記ラチェットギヤが前記弾力ブロックを連動させて回転させる時に前記推力ブロックを連動させて三百六十度回転させることができ、これにより前記伝動ブロックを連動させて回転させ、前記伝動機構の上側には起動装置が設置され、前記起動装置はラックブロックと、中空ギヤと、小ギヤと、切換ブロックとを含み、前記ラックブロックが下降して前記中空ギヤと噛み合うことができ、前記切換ブロックが押されて且つ前記ラックブロックが前方へ押される時、前記ラックブロックが下降して前記小ギヤと噛み合うことができることを特徴とするネックレス貯蔵装置。
【請求項２】
前記収納機構は透明板を含み、前記ネックレスケースの中には透明板が植設され、前記展示チャンバの前端壁には外部空間に連通している物取り口が設置され、前記ネックレスケースの下端壁の中には円形溝が設置され、前記円形溝の下端壁には上端が前記展示チャンバの中に位置している回転軸が回転できるように設置され、前記円形溝の中の前記回転軸の左端面には弾性溝が設置され、前記弾性溝の右端壁には弾性ばねが固定され、前記弾性ばねの左端には弾性ブロックが固定され、前記円形溝の端壁には前記回転軸を中心として六つの弧状ブロックが環状に排列されるように固定され、前記回転軸の上端には柱形ブロックが固定され、前記柱形ブロックの前端面には閉鎖ブロックが固定され、前記柱形ブロックの中には五つの展示溝が環状に排列されるように設置され、前記展示溝のうち前記展示チャンバから離れている端壁にはフックが固定され、前記柱形ブロックの上端面には六つの伝動ブロックが環状に排列されるように固定されていることを特徴とする請求項１に記載のネックレス貯蔵装置。
【請求項３】
前記伝動機構は切換ブロックを含み、前記ネックレスケースの右端面には押し溝が設置され、前記押し溝の左端壁には押しばねが上下対称的に固定され、二つの前記押しばねの右端には一つの切換ブロックが固定され、前記切換ブロックの左端には左端が前記展示チャンバの中に位置している細ロッドが固定され、前記押し溝の左端壁の中には鉛直溝が設置され、前記細ロッドの上端面には圧力溝が設置され、前記圧力溝の下端壁には圧力ばねが固定され、前記圧力ばねの上端には三角ブロックが固定され、前記展示チャンバの左端壁には伝動軸が回転できるように設置され、前記伝動軸の中には上端壁が前記展示チャンバに連通している第一移動溝が設置され、前記第一移動溝の中にはＴ型ブロックがスライドできるように設置され、前記Ｔ型ブロックの上端には中空ギヤが固定され、前記中空ギヤの右端面には支持ロッドが上下対称的に固定され、二つの前記支持ロッドの右端には前記伝動軸とスライドできるように連結されている一つの前記小ギヤが固定され、前記小ギヤの中には環状溝が設置され、前記環状溝の中には弧状ブロックがスライドできるように設置され、前記細ロッドが前記弧状ブロックと固定され、前記伝動軸の左端には前記ラチェットギヤが固定されていることを特徴とする請求項１に記載のネックレス貯蔵装置。
【請求項４】
前記起動機構はリミットブロックを含み、前記ネックレスケースの上端面には活動溝が設置され、前記活動溝の左端壁には第二移動溝が設置され、前記活動溝の右端壁には二つの定位溝が前後対称的に設置され、前記第二移動溝の中には移動ロッドがスライドできるように設置され、前記移動ロッドの右端には活動ブロックが固定され、前記活動ブロックの中には前記活動ブロックの上下端面を貫通している連結溝が設置され、前記連結溝の左端壁には昇降溝が設置され、前記昇降溝の下端壁には昇降ばねが固定され、前記昇降ばねの上端には昇降ブロックが固定され、前記昇降ブロックの右端には下端が前記展示チャンバの中に位置しており、且つ上端が外部空間に位置している切換ロッドが固定され、前記切換ロッドの前端面にはラックブロックが固定され、前記連結溝と前記展示チャンバは長溝により連通され、前記活動ブロックの右端面の中には横向き溝が設置され、前記横向き溝の左端壁には横向きばねが固定され、前記横向きばねの右端には右端が前記定位溝の中に位置している前記リミットブロックが固定され、前記展示チャンバの左端壁には片方向軸が回転できるように設置され、前記片方向軸には推力ブロックが固定され、前記片方向軸の右端にはラチェットギヤブロックが固定され、前記ラチェットギヤブロックの中にはラチェットギヤ溝が設置され、前記ラチェットギヤ溝の上下端壁には弾力溝が対称的に設置され、上側の前記弾力溝の上端壁には弾力ばねが固定され、前記弾力ばねの下端には前記弾力ブロックが固定されていることを特徴とする請求項１に記載のネックレス貯蔵装置。
【発明の詳細な説明】
【技術分野】
【０００１】
本発明はアクセサリー保護分野を取り上げて、具体的にはネックレス貯蔵装置である。
【背景技術】
【０００２】
ネックレスは比較的に貴重なアクセサリーであり、多くのネックレスは貴金属又は宝石により構成され、ネックレスを収納する時にネックレスに安全で独立した空間を与えるのが重要であり、しかし、現有のネックレス貯蔵装置はネックレスの保存にリスクが存在しており、又は取ることと置くことが難しく、且つ適応性が低い。
【先行技術文献】
【特許文献】
【０００３】
【特許文献１】中国特許出願公開第１０７５１８５５８号明細書
【発明の概要】
【発明が解決しようとする課題】
【０００４】
本発明はネックレス貯蔵装置を提供し、上記背景技術において提出された問題を解決することを目的とする。
【課題を解決するための手段】
【０００５】
上記の目的を実現するために、本発明は以下の技術プランを提供する：ネックレス貯蔵装置は、ネックレスケースを含み、前記ネックレスケースの中には展示チャンバが設置され、前記展示チャンバの中には収納機構が設置され、前記収納機構は伝動ブロックと、弾性ブロックと、弧状ブロックとを含み、前記弾性ブロックは前記弧状ブロックの阻止のもとで片方向にだけ回転でき、前記収納機構の上側には伝動機構が設置され、前記伝動機構はラチェットギヤと、弾力ブロックと、推力ブロックとを含み、前記ラチェットギヤと前記弾力ブロックとの間が片方向にだけ伝動でき、前記ラチェットギヤが前記弾力ブロックを連動させて回転させる時に前記推力ブロックを連動させて三百六十度回転させることができ、これにより前記伝動ブロックを連動させて回転させ、前記伝動機構の上側には起動装置が設置され、前記起動装置はラックブロックと、中空ギヤと、小ギヤと、切換ブロックとを含み、前記ラックブロックが下降して前記中空ギヤと噛み合うことができ、前記切換ブロックが押されて且つ前記ラックブロックが前方へ押される時、前記ラックブロックが下降して前記小ギヤと噛み合うことができる。
【０００６】
好ましくは、前記収納機構は透明板を含み、前記ネックレスケースの中には透明板が植設され、前記展示チャンバの前端壁には外部空間に連通している物取り口が設置され、前記ネックレスケースの下端壁の中には円形溝が設置され、前記円形溝の下端壁には上端が前記展示チャンバの中に位置している回転軸が回転できるように設置され、前記円形溝の中の前記回転軸の左端面には弾性溝が設置され、前記弾性溝の右端壁には弾性ばねが固定され、前記弾性ばねの左端には弾性ブロックが固定され、前記円形溝の端壁には前記回転軸を中心として六つの弧状ブロックが環状に排列されるように固定され、前記回転軸の上端には柱形ブロックが固定され、前記柱形ブロックの前端面には閉鎖ブロックが固定され、前記柱形ブロックの中には五つの展示溝が環状に排列されるように設置され、前記展示溝のうち前記展示チャンバから離れている端壁にはフックが固定され、前記柱形ブロックの上端面には六つの伝動ブロックが環状に排列されるように固定されている。
【０００７】
好ましくは、前記伝動機構は切換ブロックを含み、前記ネックレスケースの右端面には押し溝が設置され、前記押し溝の左端壁には押しばねが上下対称的に固定され、二つの前記押しばねの右端には一つの切換ブロックが固定され、前記切換ブロックの左端には左端が前記展示チャンバの中に位置している細ロッドが固定され、前記押し溝の左端壁の中には鉛直溝が設置され、前記細ロッドの上端面には圧力溝が設置され、前記圧力溝の下端壁には圧力ばねが固定され、前記圧力ばねの上端には三角ブロックが固定され、前記展示チャンバの左端壁には伝動軸が回転できるように設置され、前記伝動軸の中には上端壁が前記展示チャンバに連通している第一移動溝が設置され、前記第一移動溝の中にはＴ型ブロックがスライドできるように設置され、前記Ｔ型ブロックの上端には中空ギヤが固定され、前記中空ギヤの右端面には支持ロッドが上下対称的に固定され、二つの前記支持ロッドの右端には前記伝動軸とスライドできるように連結されている一つの前記小ギヤが固定され、前記小ギヤの中には環状溝が設置され、前記環状溝の中には弧状ブロックがスライドできるように設置され、前記細ロッドが前記弧状ブロックと固定され、前記伝動軸の左端には前記ラチェットギヤが固定されている。
【０００８】
好ましくは、前記起動機構はリミットブロックを含み、前記ネックレスケースの上端面には活動溝が設置され、前記活動溝の左端壁には第二移動溝が設置され、前記活動溝の右端壁には二つの定位溝が前後対称的に設置され、前記第二移動溝の中には移動ロッドがスライドできるように設置され、前記移動ロッドの右端には活動ブロックが固定され、前記活動ブロックの中には前記活動ブロックの上下端面を貫通している連結溝が設置され、前記連結溝の左端壁には昇降溝が設置され、前記昇降溝の下端壁には昇降ばねが固定され、前記昇降ばねの上端には昇降ブロックが固定され、前記昇降ブロックの右端には下端が前記展示チャンバの中に位置しており、且つ上端が外部空間に位置している切換ロッドが固定され、前記切換ロッドの前端面にはラックブロックが固定され、前記連結溝と前記展示チャンバは長溝により連通され、前記活動ブロックの右端面の中には横向き溝が設置され、前記横向き溝の左端壁には横向きばねが固定され、前記横向きばねの右端には右端が前記定位溝の中に位置している前記リミットブロックが固定され、前記展示チャンバの左端壁には片方向軸が回転できるように設置され、前記片方向軸には推力ブロックが固定され、前記片方向軸の右端にはラチェットギヤブロックが固定され、前記ラチェットギヤブロックの中にはラチェットギヤ溝が設置され、前記ラチェットギヤ溝の上下端壁には弾力溝が対称的に設置され、上側の前記弾力溝の上端壁には弾力ばねが固定され、前記弾力ばねの下端には前記弾力ブロックが固定されている。
【発明の効果】
【０００９】
以上により、本発明の有益効果は：本発明は操作が便利であり、複数のネックレスを安全に本装置の中に収納でき、且つ取ることも置くこともとても便利であり、快速に取る又は定位収納する要求に応じて相応な変化をすることができ、適応性が高く、しかもネックレスを展示できる。
【図面の簡単な説明】
【００１０】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明のネックレス貯蔵装置の全体断面の正面構成模式図
【図２】図２は本発明のネックレス貯蔵装置の切換ロッドの正面拡大構成模式図
【図３】図３は本発明のネックレス貯蔵装置の中空ギヤの正面拡大構成模式図
【図４】図４は本発明のネックレス貯蔵装置の切換ブロックの正面拡大構成模式図
【図５】図５は本発明のネックレス貯蔵装置の回転軸の上面断面の構成模式図
【図６】図６は本発明のネックレス貯蔵装置の柱形ブロックの上面断面の構成模式図
【図７】図７は本発明のネックレス貯蔵装置のリミットブロックの左側面断面の構成模式図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
図１〜７を参照し、本発明が提供する実施例は：ネックレス貯蔵装置は、ネックレスケース１０を含み、前記ネックレスケース１０の中には展示チャンバ１１が設置され、前記展示チャンバ１１の中には収納機構７０が設置され、前記収納機構７０は伝動ブロック１６と、弾性ブロック３９と、弧状ブロック３４とを含み、前記弾性ブロック３９は前記弧状ブロック３４の阻止のもとで片方向にだけ回転でき、前記収納機構７０の上側には伝動機構７１が設置され、前記伝動機構７１はラチェットギヤ１７と、弾力ブロック２１と、推力ブロック２０とを含み、前記ラチェットギヤ１７と前記弾力ブロック２１との間が片方向にだけ伝動でき、前記ラチェットギヤ１７が前記弾力ブロック２１を連動させて回転させる時に前記推力ブロック２０を連動させて三百六十度回転させることができ、これにより前記伝動ブロック１６を連動させて回転させ、前記伝動機構７１の上側には起動装置７２が設置され、前記起動装置７２はラックブロック４７と、中空ギヤ３０と、小ギヤ５５と、切換ブロック３３とを含み、前記ラックブロック４７が下降して前記中空ギヤ３０と噛み合うことができ、前記切換ブロック３３が押されて且つ前記ラックブロック４７が前方へ押される時、前記ラックブロック４７が下降して前記小ギヤ５５と噛み合うことができる。
【００１４】
有益的には、前記収納機構７０は透明板１２を含み、前記ネックレスケース１０の中には透明板１２が植設され、前記展示チャンバ１１の前端壁には外部空間に連通している物取り口６３が設置され、前記ネックレスケース１０の下端壁の中には円形溝３５が設置され、前記円形溝３５の下端壁には上端が前記展示チャンバ１１の中に位置している回転軸３６が回転できるように設置され、前記円形溝３５の中の前記回転軸３６の左端面には弾性溝３８が設置され、前記弾性溝３８の右端壁には弾性ばね３７が固定され、前記弾性ばね３７の左端には弾性ブロック３９が固定され、前記円形溝３５の端壁には前記回転軸３６を中心として六つの弧状ブロック３４が環状に排列されるように固定され、前記回転軸３６の上端には柱形ブロック１３が固定され、前記柱形ブロック１３の前端面には閉鎖ブロック６４が固定され、前記柱形ブロック１３の中には五つの展示溝１５が環状に排列されるように設置され、前記展示溝１５のうち前記展示チャンバ１１から離れている端壁にはフック１４が固定され、前記柱形ブロック１３の上端面には六つの伝動ブロック１６が環状に排列されるように固定されている。
【００１５】
有益的には、前記伝動機構７１は切換ブロック３３を含み、前記ネックレスケース１０の右端面には押し溝５９が設置され、前記押し溝５９の左端壁には押しばね６０が上下対称的に固定され、二つの前記押しばね６０の右端には一つの切換ブロック３３が固定され、前記切換ブロック３３の左端には左端が前記展示チャンバ１１の中に位置している細ロッド３１が固定され、前記押し溝５９の左端壁の中には鉛直溝５７が設置され、前記細ロッド３１の上端面には圧力溝６１が設置され、前記圧力溝６１の下端壁には圧力ばね６２が固定され、前記圧力ばね６２の上端には三角ブロック５８が固定され、前記展示チャンバ１１の左端壁には伝動軸３２が回転できるように設置され、前記伝動軸３２の中には上端壁が前記展示チャンバ１１に連通している第一移動溝５１が設置され、前記第一移動溝５１の中にはＴ型ブロック５２がスライドできるように設置され、前記Ｔ型ブロック５２の上端には中空ギヤ３０が固定され、前記中空ギヤ３０の右端面には支持ロッド５６が上下対称的に固定され、二つの前記支持ロッド５６の右端には前記伝動軸３２とスライドできるように連結されている一つの前記小ギヤ５５が固定され、前記小ギヤ５５の中には環状溝５４が設置され、前記環状溝５４の中には弧状ブロック５３がスライドできるように設置され、前記細ロッド３１が前記弧状ブロック５３と固定され、前記伝動軸３２の左端には前記ラチェットギヤ１７が固定されている。
【００１６】
有益的には、前記起動機構７２はリミットブロック２８を含み、前記ネックレスケース１０の上端面には活動溝４０が設置され、前記活動溝４０の左端壁には第二移動溝２５が設置され、前記活動溝４０の右端壁には二つの定位溝２９が前後対称的に設置され、前記第二移動溝２５の中には移動ロッド２６がスライドできるように設置され、前記移動ロッド２６の右端には活動ブロック４９が固定され、前記活動ブロック４９の中には前記活動ブロック４９の上下端面を貫通している連結溝４５が設置され、前記連結溝４５の左端壁には昇降溝４１が設置され、前記昇降溝４１の下端壁には昇降ばね４８が固定され、前記昇降ばね４８の上端には昇降ブロック４２が固定され、前記昇降ブロック４２の右端には下端が前記展示チャンバ１１の中に位置しており、且つ上端が外部空間に位置している切換ロッド２７が固定され、前記切換ロッド２７の前端面にはラックブロック４７が固定され、前記連結溝４５と前記展示チャンバ１１は長溝４６により連通され、前記活動ブロック４９の右端面の中には横向き溝４３が設置され、前記横向き溝４３の左端壁には横向きばね４４が固定され、前記横向きばね４４の右端には右端が前記定位溝２９の中に位置している前記リミットブロック２８が固定され、前記展示チャンバ１１の左端壁には片方向軸１８が回転できるように設置され、前記片方向軸１８には推力ブロック２０が固定され、前記片方向軸１８の右端にはラチェットギヤブロック２４が固定され、前記ラチェットギヤブロック２４の中にはラチェットギヤ溝１９が設置され、前記ラチェットギヤ溝１９の上下端壁には弾力溝２２が対称的に設置され、上側の前記弾力溝２２の上端壁には弾力ばね２３が固定され、前記弾力ばね２３の下端には前記弾力ブロック２１が固定されている。
【００１７】
以下、出願人は付図１〜７及び上記の本出願のネックレス貯蔵装置の具体的な構成を参照して本出願のネックレス貯蔵装置の使用方法を詳しく紹介する：
【００１８】
ネックレスを収納する時、下方へ前記切換ロッド２７を押し、前記ラックブロック４７を連動させて下降させて前記中空ギヤ３０と噛み合わせ、これにより前記中空ギヤ３０を連動させて回転させ、前記中空ギヤ３０が前記伝動軸３２を連動させて回転させ、これにより前記推力ブロック２０を連動させて三百六十度回転させ、前記伝動ブロック１６を推し動かして回転させ、これにより前記柱形ブロック１３を連動させて回転させ、一番左側の前記フック１４が前記物取り口６３まで回転すると前記フック１４にネックレスをかけることができ、前記切換ロッド２７を押し続けると継続してネックレスをかけることができ、ネックレスをかけない時、前記閉鎖ブロック６４を前記物取り口６３に合わせて前記物取り口６３を閉鎖するまで前記切換ロッド２７を押し、前記透明板１２は透明であり、内部のネックレスを展示できる。
【００１９】
ネックレスを快速に取り出す又は定位収納する時、前記切換ブロック３３を推し動かして、前記三角ブロック５８を前記鉛直溝５７のところまで運動させ、前記圧力ばね６２が復帰し、前記三角ブロック５８を連動させて前記鉛直溝５７に入らせることにより前記三角ブロック５８を固定し、前記細ロッド３１が前記小ギヤ５５と前記中空ギヤ３０とを連動させて左方へ運動させ、前方へ前記切換ロッド２７を推し動かし、これにより前記リミットブロック２８がもう一つの前記定位溝２９の中に運動して固定され、この時、下方へ前記切換ロッド２７を押すことにより前記ラックブロック４７が前記小ギヤ５５と噛み合い、これにより前記推力ブロック２０が快速に回転し、ネックレスを快速に取ることを完成できる。
【００２０】
本発明の有益効果は：本発明は操作が便利であり、複数のネックレスを安全に本装置の中に収納でき、且つ取ることも置くこともとても便利であり、快速に取る又は定位収納する要求に応じて相応な変化をすることができ、適応性が高く、しかもネックレスを展示できる。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。そのため、本発明の保護範囲は権利要求書が限定される保護範囲を標準とする。
【図１】
2020175153.tif 000003
【図２】
2020175153.tif 000004
【図３】
2020175153.tif 000005
【図４】
2020175153.tif 000006
【図５】
2020175153.tif 000007
【図６】
2020175153.tif 000008
【図７】
2020175153.tif 000009